(57)【要約】【課題】おしり洗浄ノズルとビデ洗浄ノズルの洗浄水入り口に取り付ける水圧受けキャップは、中心に温水が通過する洗浄水入り口開口を形成し、周辺の環状フランジで水圧を受ける構成であるため、このフランジが水圧を受けておしり洗浄ノズルまたはビデ洗浄ノズルが進出中に、後方から流入する洗浄水は、洗浄水入り口開口からノズル内に直接流入し、先端のノズル口から洗浄水が出る現象が発生する。本発明はこのような課題を解決するものである。【解決手段】おしり洗浄ノズルとビデ洗浄ノズルの洗浄水入り口に取り付ける水圧受けキャップは、洗浄水入り口を覆う大きさの板状の水圧受け部と、水圧受け部から突出して洗浄水入り口に嵌合するよう湾曲形状の一対の支持脚と、一対の支持脚間に配置され水圧受け部の中央部から洗浄水入り口内へ突出した分流壁とを備え、水圧受け部と洗浄水入り口との間に水圧受け部の周囲から一対の支持脚間へ洗浄水が流入するための洗浄水流入間隔を形成したこと。【選択図】図８
2010196389.tif 000002
【特許請求の範囲】
【請求項１】
おしり洗浄ノズルへの洗浄水入り口及びビデ洗浄ノズルへの洗浄水入り口に、それぞれ
洗浄水の水圧を受ける水圧受けキャップが取り付けられ、水圧を受けて前記おしり洗浄ノ
ズルまたはビデ洗浄ノズルが進出する構成において、前記水圧受けキャップは、前記洗浄
水入り口を覆う大きさの板状の水圧受け部と、前記水圧受け部から突出して前記洗浄水入
り口に嵌合するよう湾曲形状の一対の支持脚と、前記一対の支持脚間に配置され前記水圧
受け部の中央部から前記洗浄水入り口内へ突出した分流壁とを備え、前記水圧受け部と前
記洗浄水入り口との間に前記水圧受け部の周囲から前記一対の支持脚間へ洗浄水が流入す
るための洗浄水流入間隔を形成したことを特徴とする温水洗浄式便座装置。
【請求項２】
おしり洗浄ノズルへの洗浄水入り口及びビデ洗浄ノズルへの洗浄水入り口に、それぞれ
洗浄水の水圧を受ける水圧受けキャップが取り付けられ、水圧を受けて前記おしり洗浄ノ
ズルまたはビデ洗浄ノズルが進出する構成において、前記水圧受けキャップは、前記洗浄
水入り口を覆う大きさの板状の水圧受け部と、前記水圧受け部から突出して前記洗浄水入
り口に嵌合するよう湾曲形状の一対の支持脚と、前記一対の支持脚間に配置され前記水圧
受け部の中央部から前記洗浄水入り口内へ突出した分流壁と、前記水圧受け部と前記洗浄
水入り口との間に前記水圧受け部の周囲から前記一対の支持脚間へ洗浄水が流入するため
の洗浄水流入間隔を形成する突起とを備えたことを特徴とする温水洗浄式便座装置。
【発明の詳細な説明】
【技術分野】
【０００１】
本発明は、洗浄ノズルから噴出する洗浄水によって、便座に着座した人の部位を洗浄す
る温水洗浄式便座装置に関する。
【背景技術】
【０００２】
温水洗浄便座用の温水を溜めるためにヒータを内蔵した温水タンクを備え、この温水タ
ンクは、水道水が電磁弁と減圧弁を通って供給され、温水タンク内の温水を洗浄ノズルか
ら噴射して、肛門やビデ等の局部洗浄用として使用することは周知である。（例えば、特
許文献１参照）。
【先行技術文献】
【特許文献】
【０００３】
【特許文献１】特開２００１−９８６１５号公報
【発明の概要】
【発明が解決しようとする課題】
【０００４】
この特許文献１の形態では、おしり洗浄時またはビデ洗浄時には、電磁弁を開いて温水
タンク内に水道水圧が掛かる状態とすることによって、水道水が温水タンク内へ供給され
つつ温水タンクから洗浄水としての温水が送出され、この温水によっておしり洗浄ノズル
またはビデ洗浄ノズルを進出させ、先端のノズル口から温水を噴出する。
【０００５】
この場合、おしり洗浄ノズルまたはビデ洗浄ノズルが所定の位置へ進出するまで、先端
のノズル口から温水が出ず、所定の位置へ進出したときノズル口から温水が出ることが望
ましい。しかし、従来のものは、ノズルケースＮＣ内に、筒状のおしり洗浄ノズルまたは
ビデ洗浄ノズルＮＺが、コイルバネＣＳによって後退位置に保持されており、温水タンク
から送出される温水によって、コイルバネＣＳを押し圧圧縮させつつ所定位置へ進出する
構成である。
【０００６】
このように、おしり洗浄ノズルまたはビデ洗浄ノズルＮＺが進出するようにするために
、おしり洗浄ノズルまたはビデ洗浄ノズルＮＺの後端開口の洗浄水の入り口に、図１２に
示すように、水圧を受ける水受けキャップＷＣを取り付けている。この水受けキャップＷ
Ｃは、中心に温水が通過する洗浄水入り口開口ＩＮを形成し、周辺の環状フランジＦＲで
水圧を受ける構成である。このため、このフランジＦＲが水圧を受けておしり洗浄ノズル
またはビデ洗浄ノズルＮＺが進出中に、後方から流入する洗浄水は、洗浄水入り口開口Ｉ
ＮからノズルＮＺ内に直接流入し、それによって、先端のノズル口から洗浄水として温水
が出る現象が発生する。
【０００７】
おしり洗浄ノズルまたはビデ洗浄ノズルＮＺが所定の位置へ進出するまで、先端のノズ
ル口から洗浄水が出ず、所定の位置へ進出したときノズル口から洗浄水が出ることが望ま
しい。このため、本発明は上記課題を解決するために、水圧を受けておしり洗浄ノズルま
たはビデ洗浄ノズルＮＺが進出する構成において、水圧受けキャップＷＣを特定の形状と
することによって、簡単な構成でもって、おしり洗浄ノズルまたはビデ洗浄ノズルＮＺが
進出中に、先端のノズル口から洗浄水が出ないようにできる技術を提供するものである。
【課題を解決するための手段】
【０００８】
第１発明の温水洗浄式便座装置は、おしり洗浄ノズルへの洗浄水入り口及びビデ洗浄ノ
ズルへの洗浄水入り口に、それぞれ洗浄水の水圧を受ける水圧受けキャップが取り付けら
れ、水圧を受けて前記おしり洗浄ノズルまたはビデ洗浄ノズルが進出する構成において、
前記水圧受けキャップは、前記洗浄水入り口を覆う大きさの板状の水圧受け部と、前記水
圧受け部から突出して前記洗浄水入り口に嵌合するよう湾曲形状の一対の支持脚と、前記
一対の支持脚間に配置され前記水圧受け部の中央部から前記洗浄水入り口内へ突出した分
流壁とを備え、前記水圧受け部と前記洗浄水入り口との間に前記水圧受け部の周囲から前
記一対の支持脚間へ洗浄水が流入するための洗浄水流入間隔を形成したこと。
【０００９】
第２発明の温水洗浄式便座装置は、おしり洗浄ノズルへの洗浄水入り口及びビデ洗浄ノ
ズルへの洗浄水入り口に、それぞれ洗浄水の水圧を受ける水圧受けキャップが取り付けら
れ、水圧を受けて前記おしり洗浄ノズルまたはビデ洗浄ノズルが進出する構成において、
前記水圧受けキャップは、前記洗浄水入り口を覆う大きさの板状の水圧受け部と、前記水
圧受け部から突出して前記洗浄水入り口に嵌合するよう湾曲形状の一対の支持脚と、前記
一対の支持脚間に配置され前記水圧受け部の中央部から前記洗浄水入り口内へ突出した分
流壁と、前記水圧受け部と前記洗浄水入り口との間に前記水圧受け部の周囲から前記一対
の支持脚間へ洗浄水が流入するための洗浄水流入間隔を形成する突起とを備えたこと。
【発明の効果】
【００１０】
本発明の水圧受けキャップによって、おしり洗浄ノズルまたはビデ洗浄ノズルにおいて
は、後方から流入する洗浄水は、洗浄水入り口に直接流入するのではなく、一旦水圧受け
部に衝突する。このため、おしり洗浄ノズルまたはビデ洗浄ノズルの進出が、従来のもの
よりも速やかに行われるようになる。そして、一旦水圧受け部に衝突した洗浄水は、水圧
受け部の周囲から一対の支持脚を通り分流壁の両側面へ衝突し、先端のノズル口へ向けて
流れる。このため、水圧受け部の周囲から流入する洗浄水は、分流壁によって互いに衝突
しない状態となるため、衝突による流れの阻害がなくなり、スムースにノズル内を前方へ
流れるようになる。また、後方からノズルの入口に達する洗浄水は、水圧受け部によって
一旦受け止められるため、おしり洗浄ノズルまたはビデ洗浄ノズルが進出中に、先端のノ
ズル口から洗浄水が出ることを抑制できる。
【００１１】
また、水圧受け部と洗浄水入り口との間に、水圧受け部の周囲から一対の支持脚間へ洗
浄水が流入するための洗浄水流入間隔を形成する突起を形成することにより、従来の水圧
受けキャップを本発明の水圧受けキャップに交換することにより、従来の課題を簡単な構
成によって解決できるものとなる。
【図面の簡単な説明】
【００１２】
【図１】本発明に係る温水洗浄式便座装置を便器に取り付けた斜視図である。
【図２】図１の温水洗浄式便座装置の本体ケース及び操作部の内部構成を一部破断により示す平面図である。
【図３】本発明に係る温水洗浄式便座装置の制御回路図である。
【図４】本発明に係る温水洗浄式便座装置のノズルユニットＮＵと洗浄水切り替えユニットＳＵを組み合わせた状態の側面斜視図である。
【図５】本発明に係るノズルユニットＮＵと洗浄水切り替えユニットＳＵを組み合わせた状態の後方斜視図である。
【図６】本発明に係る洗浄水切り替えユニットを温水タンクの下面に取り付けた状態を上下方向で切断しその一部を拡大で示す断面図である。
【図７】本発明に係るノズルユニットＮＵを上下方向で切断した端面を示す図である。
【図８】本発明に係るおしり洗浄ノズルの水受け部の構成を示す断面図である。
【図９】本発明に係るビデ洗浄ノズルの水受け部の構成を示す断面図である。
【図１０】本発明に係るおしり洗浄ノズル及びビデ洗浄ノズルの入り口部に取り付ける水圧受けキャップの斜視図である。
【図１１】本発明に係る洗浄水切り替えユニットＳＵの分解斜視図である。
【図１２】従来技術の係るおしり洗浄ノズル及びビデ洗浄ノズルの入り口部の構成を示す断面図である。
【発明を実施するための形態】
【００１３】
［実施例１］
本発明に係る洗浄水式便座装置の実施例を図に基づき説明する。図示の洗浄水式便座装
置は、洗浄水として温水を用いる温水洗浄式便座装置である。１は洋式便器２の上に着脱
可能に設置された温水洗浄式便座装置であり、本体ケース３に便座４の後部とこの便座４
の上面を覆う便蓋５の後部が軸支持され、便座４と便蓋５を上下方向に開閉自在に枢支し
ている。本体ケース３の一方の側面には給水管６を突設し、この給水管６にフレキシブル
な配管ホース７を接続していると共に、この配管ホース７は、分岐水栓８を介して上水を
供給する市水等の上水道管９に接続している。
【００１４】
本体ケース３は、その一方の側面に、前方が上記便座４の側面に沿って延設された操作
部１０を一体的に突設しており、操作部１０は本体ケース３の一部分を構成する。操作部
１０は、この操作部１０の上面から操作される後述の複数のスイッチやこのスイッチによ
る動作状態を表示する表示部となるＬＥＤを収納している。図示のものは操作部１０が便
座４の側部に配置された構成であるが、操作をリモートコントロール方式とする場合は、
操作部１０の部分がリモートコントローラとなる。
【００１５】
図示の構成において、本体ケース３内には、図２に示す様に、主とした機能部品として
、便座４に着座した人の肛門やビデ等の被洗浄局部を洗浄するための温水をつくるための
温水タンク１３と、この温水タンク１３と給水管６とを接続する給水配管１４と、給水配
管１４に接続した電磁弁１１と、給水配管１４に接続した減圧弁１２、温水洗浄ユニット
６０と、脱臭機構１６と、電気制御回路を取り付けた基板１７とを収納配置している。な
お、本体ケース３内には、便座４と便蓋５を上下方向に開閉する電動機１９、２０が収容
されている。温水タンク１３には、電磁弁１１が開くことにより、配管ホース７及び給水
配管１４を通って上水道管９の上水が、温水タンク１３内の底部に供給される。温水タン
ク１３に供給された水は、温水タンク１３内に配置した温水ヒータ４２で温水となる。
【００１６】
脱臭機構１６は、脱臭用触媒２４と、脱臭ファン２５と、ファンケース２６にて主に構
成し、このファンケース２６は、上記洋式便器２のボウル２Ａに対向して開口した第１吸
気孔２７と、本体ケース３内に開口した第２吸気孔２８と、これらの吸気孔から吸引した
空気が上記脱臭用触媒２４を通過した後、本体ケース３の外に排出する排気孔２９とを設
けている。
【００１７】
便座４は、図１に一部断面で示すように、便座４の裏側にアルミニウム箔４Ａを介して
絶縁被覆された便座ヒータ４１が取り付けられており、便座ヒータ４１の発熱によって便
座４が加温される。
【００１８】
操作部１０は、図２に一部拡大で示すように、その中に絶縁性の操作基板１８を水平状
態に収納し、この操作基板１８には、各種の操作スイッチと、ＬＥＤ表示部が取り付けら
れている。この操作スイッチとして、おしり（肛門）洗浄開始スイッチ４５、ビデ洗浄開
始スイッチ４６、洗浄停止スイッチ４４、洗浄水の水勢増減スイッチ４７Ｐと４７Ｑ、温
水タンク１３の温水温度調節スイッチ４８、便座ヒータ４１による便座２の温度を可変す
る便座温度調節スイッチ４９等が設けられ、また、ＬＥＤ表示部として、水勢増減スイッ
チ４７Ｐと４７Ｑに対応して水勢の強中弱の状態を３段階で表示するＬＥＤ４７Ｌ、温水
温度調節スイッチ４８に対応して温水温度を低中高の３段階で表示するＬＥＤ４８Ｌ、便
座温度調節スイッチ４９に対応して便座温度を低中高の３段階で表示するＬＥＤ４９Ｌが
設けられている。なお、便座４と便蓋５を上下方向に開閉する電動機１９、２０をＯＮ・
ＯＦＦするスイッチ２３、４３とその押圧部分を前記操作スイッチ同様に操作部１０に設
けている。
【００１９】
操作部１０の上面開口は、前記の各スイッチ及びＬＥＤの対応部分に貫通孔を形成した
カバー板で覆われており、このカバー板の上面は、前記貫通孔を塞ぐようにこれらスイッ
チに対応する部分が可撓性を有し、且つ前記ＬＥＤに対応する部分が透光性を有するフィ
ルム１０Ｆで覆われている。このため、これらスイッチ４４、４５、４６、４７Ｐと４７
Ｑ、４８、４９に対応するフィルム１０Ｆの押圧部分４４Ａ、４５Ａ、４６Ａ、４７Ａと
４７Ｂ、４８Ａ、４９Ａを押すことによって、対応するスイッチが作動する。電動機１９
、２０をＯＮ・ＯＦＦするスイッチ２３、４３の部分も同様である。
【００２０】
温水タンク１３内の水を加熱するための温水ヒータ４２として、通電にて発熱するシー
ズヒータ４２が温水タンク１３内の底部に配設されている。温水タンク１３の上壁には、
温水タンク１３内の異常温度を検知してシーズヒータ４２への通電回路を遮断する温度検
知部５０と、温水タンク１３内の洗浄水レベル（温水レベル）を検知して電磁弁１１を開
閉制御して、温水タンク１３内の洗浄水レベルを所定レベルに制御するフロートスイッチ
５１と、温水タンク１３内の圧力が外気圧よりも低くなったとき温水タンク１３内と外気
を連通する負圧弁５２を備えた気圧調整用パイプ５３の取り付け部５４が設けられている
。温水タンク１３内は、負圧弁５２の作用によって外気と連通する以外は、外気と連通し
ないように気密構造である。また、温水タンク１３内の温水温度は、温水モードにおいて
温水温度調節スイッチ４８によって使用者が任意の設定温度に設定できる。温水モードに
おいてシーズヒータ４２への通電を制御して、温水タンク１３内の温水温度を前記設定温
度に維持するため、温水タンク１３内の温水温度を検知するサーミスタ５５が設けられて
いる。
【００２１】
温水洗浄ユニット６０は、おしり洗浄ノズル６１と、ビデ洗浄ノズル６２と、おしり洗
浄ノズル６１を進出・退避動作を行なうように収容したおしり洗浄ノズル用ノズルケース
６３と、ビデ洗浄ノズル６２を進出・退避動作を行なうように収容したビデ洗浄ノズル用
ノズルケース６４とを備えたノズルユニットＮＵと、温水タンク１３から供給される温水
をおしり洗浄ノズル６１とビデ洗浄ノズル６２のいずれに供給するかを切り替える切り替
え弁６６を備えた洗浄水切り替えユニットＳＵとによって構成されている。
【００２２】
ノズルユニットＮＵは、具体的には、おしり洗浄ノズル６１の真下にビデ洗浄ノズル６
２が略平行線上に位置するように、それぞれ上下の平行配置のおしり洗浄ノズル用ノズル
ケース６３とビデ洗浄ノズル用ノズルケース６４に収容され、後述のように、温水タンク
１３に掛かる水道水圧によって進出動作し、先端部のノズル口６１Ａ、６２Ａから洗浄水
としての温水を噴出する構成である。おしり洗浄ノズル用ノズルケース６３とビデ洗浄ノ
ズル用ノズルケース６４は、合成樹脂で一体形成されてノズルケース体ＮＣを構成してい
る。
【００２３】
おしり洗浄ノズル６１は、合成樹脂製で円筒形等所定形状の筒状をなし、洗浄水である
温水が通る内部通路６１Ｔは、先端部のノズル口６１Ａへ向けて次第に洗浄水の圧力が高
くなるように、先端に行くにしたがって次第に断面積Ｓ１が小さくなるように形成されて
いる。ビデ洗浄ノズル６２は、おしり洗浄ノズル６１と同様に、合成樹脂製で円筒形等所
定形状の筒状をなし、洗浄水である温水が通る内部通路６２Ｔは、先端部のノズル口６２
Ａへ向けて次第に洗浄水の圧力が高くなるように、先端に行くにしたがって次第に断面積
Ｓ２が小さくなるように形成されている。おしり洗浄ノズル６１と、ビデ洗浄ノズル６２
と、おしり洗浄ノズル用ノズルケース６３と、ビデ洗浄ノズル用ノズルケース６４とを共
通形態にすることによって、ノズル先端部を除いて共通の筒状ノズル形態を採用できるた
め、全体として部品の共通化と、組み立ての容易さ、更にコストダウン化を図ることがで
きるものとなる。
【００２４】
ノズルユニットＮＵの後端部には、洗浄水切り替えユニットＳＵから供給される洗浄水
としての温水が、それぞれおしり洗浄ノズル用ノズルケース６３へ導入される温水導入部
６３Ｂと、ビデ洗浄ノズル用ノズルケース６４へ導入される温水導入部６４Ｂを形成して
いる。具体的には、温水導入部６３Ｂと温水導入部６４Ｂとを形成した導入部カバー８６
と、この導入部カバー８６を覆うように取り付け部材８７が、ネジ８８にてノズルケース
体ＮＣの後端に取り付けられている。これによって、おしり洗浄ノズル用ノズルケース６
３の後端の入口開口が、温水導入部６３Ｂと連通状態となり、また、ビデ洗浄ノズル用ノ
ズルケース６４の後端の入口開口が、温水導入部６４Ｂと連通状態となる。
【００２５】
取り付け部材８７は、ノズルユニットＮＵを本体ケース３内の固定基板（図示せず）に
ネジ８９によって固定するために、取り付け部８７Ａを形成したものであるが、ノズルユ
ニットＮＵを本体ケース３内の固定基板にネジ８９によって固定する部分を導入部カバー
８６に形成できれば、取り付け部材８７は不要である。
【００２６】
上下配置のおしり洗浄ノズル６１とビデ洗浄ノズル６２は、洋式便器２のボウル２Ａ内
において、共に前方斜め下方に向けて進出し退避する向きの配置であり、本体ケース３に
便座４と便蓋５を取り付けた状態で、おしり洗浄ノズル６１とビデ洗浄ノズル６２は、便
座４の左右間の中心線となる前後方向中心線上の配置となる。このため、便座４と便蓋５
を取り付けた本体ケース３を洋式便器２の上の所定位置にセットした状態では、便座４に
着座した人の肛門やビデ等の被洗浄局部に対して、真下または真下後方部からの温水噴出
が得られる。
【００２７】
このため、上記水道水圧が掛からない状態においては、おしり洗浄ノズル６１はコイル
バネ６５Ａによって、おしり洗浄ノズル用ノズルケース６３内に退避した状態に保たれ、
上記水道水圧が掛かったときは、上記水道水圧をおしり洗浄ノズル６１の後端の水受け部
６１Ｂが受けて、コイルバネ６５Ａを圧縮しつつおしり洗浄ノズル６１が進出し、おしり
洗浄ノズル６１の後端に取り付けたパッキン６１Ｐが洗浄ノズル用ノズルケース６３内の
停止部６３Ａに当接して、その進出が停止し、この位置が所定の進出位置となる。
【００２８】
一方、ビデ洗浄ノズル６２については、上記水道水圧が掛からない状態においては、ビ
デ洗浄ノズル６２はコイルバネ６５Ｂによってビデ洗浄ノズル用ノズルケース６４内に退
避した状態に保たれ、上記水道水圧が掛かったときは、上記水道水圧をビデ洗浄ノズル６
２の後端の水受け部６２Ｂが受けて、コイルバネ６５Ｂを圧縮しつつビデ洗浄ノズル６２
が進出し、ビデ洗浄ノズル６２の後端に取り付けたパッキン６２Ｐがビデ洗浄ノズル用ノ
ズルケース６４内の停止部６４Ａに当接して、その進出が停止し、この位置が所定の進出
位置となる。
【００２９】
水受け部６１Ｂ、６２Ｂについて説明する。おしり洗浄ノズル６１への洗浄水入り口９
２及びビデ洗浄ノズル６２への洗浄水入り口９３には、それぞれ洗浄水の水圧を受ける水
圧受けキャップ９４Ａ、９４Ｂが取り付けられ、水圧を受けておしり洗浄ノズル６１また
はビデ洗浄ノズル６２が進出する構成である。これを具体的に説明する。先ず、図８及び
図１０に示すように、水圧受けキャップ９４Ａは、円形状の洗浄水入り口９２を覆う大き
さの円形板状の水圧受け部９５Ａと、水圧受け部９５Ａから突出して洗浄水入り口９２に
嵌合するよう円弧をなすように湾曲形状の離間した一対の支持脚９６Ａと、一対の支持脚
９６Ａ間に配置され水圧受け部９５Ａの中央部から洗浄水入り口９２内へ平板状に突出し
た分流壁９７Ａとを備え、水圧受け部９５Ａと洗浄水入り口９２の周辺環状フランジ９２
Ａとの間に、水圧受け部９５Ａの周囲から一対の支持脚９６Ａ間へ洗浄水が流入するため
の洗浄水流入間隔９８Ａを形成している。洗浄水流入間隔９８Ａを形成する手段として、
洗浄水入り口９２の周囲のフランジ９２Ａから突起９９Ａを突出させてもよいが、実施例
では、突起９９Ａは、水圧受け部９５Ａから突出している。水圧受け部９５Ａには、良好
に水圧を受けるために、環状リブ９５Ａ１を一体形成している。水圧受けキャップ９４Ａ
は、水圧受け部９５Ａと、一対の支持脚９６Ａと、分流壁９７Ａと、突起９９Ａが合成樹
脂で一体に形成された構成である。
【００３０】
また、水圧受けキャップ９４Ａと同様に、水圧受けキャップ９４Ｂは、図９及び図１０
に示すように、円形状の洗浄水入り口９３Ｂを覆う大きさの円形板状の水圧受け部９５Ｂ
と、水圧受け部９５Ｂから突出して洗浄水入り口９３Ｂに嵌合するよう円弧をなすように
湾曲形状の離間した一対の支持脚９６Ｂと、一対の支持脚９６Ｂ間に配置され水圧受け部
９５Ｂの中央部から洗浄水入り口９３Ｂ内へ平板状に突出した分流壁９７Ｂとを備え、水
圧受け部９５Ｂと洗浄水入り口９３の周辺環状フランジ９３Ｂとの間に、水圧受け部９５
Ｂの周囲から一対の支持脚９６Ｂ間へ洗浄水が流入するための洗浄水流入間隔９８Ｂを形
成している。この洗浄水流入間隔９８Ｂを形成する手段として、洗浄水入り口９３の周囲
のフランジ９３Ｂから突起９９Ｂを突出させてもよいが、実施例では、突起９９Ｂは、水
圧受け部９５Ｂから突出している。水圧受け部９５Ｂには、良好に水圧を受けるために、
環状リブ９５Ｂ１を一体形成している。水圧受けキャップ９４Ｂは、水圧受け部９５Ｂと
、一対の支持脚９６Ｂと、分流壁９７Ｂと、突起９９Ｂが合成樹脂で一体に形成された構
成である。
【００３１】
洗浄水切り替えユニットＳＵは、切り替え弁６６を回動駆動する電動機６７と、切り替
え弁６６を収容する弁室６９を形成した合成樹脂製の弁室部材７０と、切り替え弁６６に
よって切り替えられるおしり洗浄水通路７１とビデ洗浄水通路７２を形成した合成樹脂製
の切り替え通路部材７３とが、ネジ７４によって結合されて一体化された構成である。こ
れによって、弁室６９が水密状態に保たれる。
【００３２】
温水タンク１３内の温水を導出するために、温水タンク１３内に略垂直に立設した温水
導出パイプ１５を設けている。温水導出パイプ１５の上端開口１５Ａ（温水タンク１３の
温水流出口）は、温水タンク１３内の上壁との間に若干の間隔を存して位置している。図
示のものは、温水タンク１３内の上壁が若干上方へ膨らんだ部分で、この上壁に近接する
位置に上端開口１５Ａが位置している。温水タンク１３には、電磁弁１１が開くことによ
り、配管ホース７及び給水配管１４を通って上水道管９の上水が、温水タンク１３内の底
部に供給され、温水ヒータ４２で加熱されて温水となる。温水タンク１３内の温水レベル
（洗浄水レベル）は、フロートスイッチ５１によって電磁弁１１を開閉制御して、温水タ
ンク１３内の温水レベル（洗浄水レベル）を所定レベルに制御する。この所定レベルは、
温水導出パイプ１５の上端開口１５Ａ（温水タンク１３の温水流出口）よりも若干低いレ
ベルである。
【００３３】
後述のように、洗浄モードになると、温水タンク１３内に上水道管９の上水を供給しつ
つ温水タンク１３内の温水をおしり洗浄ノズル６１またはビデ洗浄ノズル６２から噴出す
る。この場合、温水になっていない上水がおしり洗浄ノズル６１またはビデ洗浄ノズル６
２から噴出しないようにするために、温水導出パイプ１５が立設されている。
【００３４】
切り替え弁６６は、水平軸上で正転・逆転の回動動作を行うように、電動機６７の駆動
軸６８に支持されて弁室６９に収容されている。弁室部材７０は、その上壁に形成した温
水導入口６９Ｂに、温水導出パイプ１５の下端の温水導出口が接続され、温水導出パイプ
１５にて流下する温水が、温水導入口６９Ｂから弁室６９へ流入する。
【００３５】
電動機６７の駆動軸６８は、電動機６７の回転子から延びた軸６８Ａのみで形成しても
よいが、電動機６７の汎用性から、電動機６７の駆動軸６８は、電動機６７の回転子から
延びた軸６８Ａと、これに嵌め合わせて一体化した合成樹脂製の補助軸６８Ｂとで構成し
ている。図６に示すように、電動機６７の駆動軸６８は、温水が漏れないようにシールパ
ッキン７６によってシール状態で切り替え通路部材７３を貫通し、その先端に切り替え弁
６６を取り付けている。電動機６７は、後述の制御回路３０のパルス出力によってステッ
ピング動作をするものであり、ステッピングモータとも称する。
【００３６】
組み立て及び修理交換の容易さを考慮して、切り替え弁６６は、電動機６７の駆動軸６
８の先端に、図６において左側から（図１１においては右側から）嵌め合わせで取り付け
られている。切り替え弁６６によって切り替えられる温水の流れが、切り替え弁６６に貫
通形成した弁通路６６Ａがおしり洗浄水通路７１と連通した状態と、弁通路６６Ａがビデ
洗浄水通路７２と連通した状態へ切り替えられるため、切り替え弁６６が切り替え通路部
材７３へ押し圧保持される必要がある。このため、切り替え弁６６が回動可能であってそ
の支持が安定化するために、切り替え弁６６を駆動軸６８側に向けてコイルバネ７９の押
し圧にて保持する構成を採用している。具体的には、切り替え弁６６の駆動軸６８とは反
対側は、弁室６９の側壁（図６において左壁）から駆動軸６８方向に突出する支持軸７７
と、切り替え弁６６から突出する支持軸７８とに緩く嵌められたコイルバネ７９によって
、切り替え弁６６を駆動軸６８側に向けて押し圧にて保持しており、電動機６７による正
転・逆転の回動動作が円滑に行なわれる構成である。
【００３７】
洗浄水切り替えユニットＳＵは、上記のように、電動機６７と、弁室部材７０と、切り
替え通路部材７３とが、ネジ７４によって結合されて一体化された構成である。この一体
化された状態で、洗浄水切り替えユニットＳＵは、温水タンク１３の底面部にネジ８０に
よって固定し、この状態で、温水導出パイプ１５の下端が弁室６９の温水導入口６９Ｂに
連通接続される。この連通接続部からの温水防止のために、パッキン８１が設けられてい
る。
【００３８】
また、この一体化によって、弁室部材７０と切り替え通路部材７３との接合部から温水
が漏洩しないようにするために、この接合部がゴム製のシールパッキン８２によってシー
ルされている。また、切り替え弁６６によって温水の流れが、おしり洗浄水通路７１へ切
り替えられた状態で、ビデ洗浄水通路７２へ温水が入り込まないようにし、また、温水の
流れが、ビデ洗浄水通路７２へ切り替えられた状態で、おしり洗浄水通路７１へ温水が入
り込まないようにするために、おしり洗浄水通路７１とビデ洗浄水通路７２の入口周縁に
、ゴム製のシールパッキン８３Ａ、８３Ｂが取り付けられている。これによって、切り替
え弁６６は、コイルバネ７９によって切り替え通路部材７３へ向けて押されるとき、切り
替え弁６６の一方の面がシールパッキン８３Ａ、８３Ｂに圧接され、この圧接状態におい
て、切り替え弁６６は、温水の流れをおしり洗浄水通路７１とビデ洗浄水通路７２とに切
り替え回動する。
【００３９】
なお、切り替え弁６６の一方の面がシールパッキン８３Ａ、８３Ｂに圧接状態において
、切り替え弁６６が、温水の流れをおしり洗浄水通路７１とビデ洗浄水通路７２とに切り
替え回動する動作を安定化のために、シールパッキン８３Ａ、８３Ｂと同一平面をなすよ
うに、切り替え通路部材７３の凹部８４Ａ、８４Ｂにそれぞれゴム製の当接部材８５Ａ、
８５Ｂを嵌め込んでいる。
【００４０】
温水洗浄ユニット６０は、ノズルユニットＮＵと洗浄水切り替えユニットＳＵの温水通
路の接続のために、おしり洗浄水通路７１は、その出口部７１Ａが可撓性パイプ７５Ａに
よって温水導入部６３Ｂへ連通接続されている。また、ビデ洗浄水通路７２は、その出口
部７２Ａが可撓性パイプ７５Ｂによって温水導入部６４Ｂへ連通接続されている。洗浄水
切り替えユニットＳＵは、上記のように、ネジ８０によって温水タンク１３の底面部に固
定され、温水タンク１３は本体ケース３内の固定基板にネジ等によって固定される。また
、ノズルユニットＮＵは、本体ケース３内の固定基板にネジ８９によって固定され、おし
り洗浄ノズル６１とビデ洗浄ノズル６２が、便座４の左右間の中心線となる前後方向中心
線上の所定位置に保たれる。このようにして、温水洗浄ユニット６０が所定位置にセット
される。
【００４１】
図３は、制御手段となる制御回路３０の構成を示すもので、商用電源３１にマイクロコ
ンピュータを中心に構成した制御部３２を接続し、かつこの制御部３２の入力回路には上
記操作基板１８を接続し、更に制御部３２の入力回路には、上記便座４への着座を検出す
る着座スイッチ３３と、便座４の温度を検出する便座用温度センサ３５と、フロートスイ
ッチ５１と、温水タンク１３内の温水温度を検知するサーミスタ５５が接続されている。
着座スイッチ３３は、便座４に人が着座したときの重量で便座４が下降することにより作
動するスイッチや、便座４に着座した人を赤外線で検出する赤外線スイッチなどがある。
【００４２】
制御部３２は、タイマ、メモリ等を含み、所定のプログラムに従って、所定の動作を行
なうマイクロコンピュータ制御方式である。商用電源３１には、上記制御部３２の出力に
て各々動作するスイッチング素子２１、２２、３６、３７、３８、３９、４０を介して、
それぞれ便座４の開閉電動機１９、便蓋５の開閉電動機２０、便座ヒータ４１、温水タン
ク１３内の水を加熱する温水ヒータ４２、切り替え弁６６を駆動する電動機６７（洗浄モ
ータ６７ともいう）、脱臭ファン２５、及び電磁弁１１を接続している。
【００４３】
待機状態において、通常、接点が閉じている温度検知部５０は、温水タンク１３内の異
常温度を検知したとき開いて、温水ヒータ４２の通電を遮断する。また、温水タンク１３
内の水は、サーミスタ５５の温度感知によって、制御部３２が動作し、スイッチング素子
３７が温水ヒータ４２の通電のＯＮ・ＯＦＦ動作を行い、温水温度が所定温度範囲に維持
される。温水タンク１３内の温水レベル（洗浄水レベル）は、フロートスイッチ５１の検
出によってスイッチング素子４０が電磁弁１１を開閉制御して、温水タンク１３内の温水
レベル（洗浄水レベル）を所定レベルに制御する。この所定レベルは、温水導出パイプ１
５の上端開口１５Ａ（温水タンク１３の温水流出口）よりも若干低いレベルである。
【００４４】
また、待機状態において、切り替え弁６６は、切り替え弁６６の弁通路６６Ａ以外の面
が、おしり洗浄水通路７１とビデ洗浄水通路７２の入口周縁のシールパッキン８３Ａ、８
３Ｂに当接しており、これによって、切り替え弁６６は、温水タンク１３内がおしり洗浄
水通路７１とビデ洗浄水通路７２のいずれとも連通しないように、おしり洗浄水通路７１
とビデ洗浄水通路７２の入口を塞ぎ、弁通路６６Ａがおしり洗浄水通路７１とビデ洗浄水
通路７２のいずれとも連通せず遮断状態である。
【００４５】
このような待機状態において、制御部３２は、スイッチ４３のＯＮにて電動機２０にて
便蓋５が上方向に開く。そして、着座スイッチ３３により便座４への人体の着座を検出す
ると、スイッチング素子３９を通電して脱臭ファン２５を回転する。この着座状態におい
て、おしり（肛門）洗浄開始スイッチ４５が押されておしり（肛門）洗浄指令が発せられ
、またはビデ洗浄開始スイッチ４６が押されてビデ洗浄指令が発せられると、制御部３２
はスイッチング素子３８、４０を適宜作動して、洗浄モータ６７の作動にて切り替え弁６
６を回動駆動すると共に電磁弁１１が開く。電磁弁１１が開くことにより、水道管９から
給水配管１４を通って、上水の水圧が温水タンク１３内に掛かり、温水タンク１３内底部
に上水が供給されつつ、温水タンク１３内の温水が温水導出パイプ１５の上端開口１５Ａ
（温水タンク１３からの温水流出口）から温水導出パイプ１５へ流出し、弁室６９へ供給
される。
【００４６】
この場合、おしり（肛門）洗浄開始スイッチ４５が押されている場合は、洗浄モータ６
７の作動にて切り替え弁６６がシールパッキン８３Ａ、８３Ｂと当接部材８５Ａ、８５Ｂ
に当接した状態で回動し、切り替え弁６６の弁通路６６Ａがおしり洗浄水通路７１と連通
した状態で洗浄モータ６７が停止する。これによって、上水の水圧によって弁室６９へ供
給された温水は、弁通路６６Ａとおしり洗浄水通路７１を通り、その出口部７１Ａから可
撓性パイプ７５Ａを通って温水導入部６３Ｂへ流入する。温水導入部６３Ｂへ流入した温
水の水圧は、コイルバネ６５Ａによって退避位置（図７に示す位置）にあるおしり洗浄ノ
ズル６１の水受け部６１Ｂに作用する。
【００４７】
水受け部６１Ｂは上記構成であるため、温水導入部６３Ｂへ流入した温水は、殆んど水
圧受けキャップ９４Ａの水圧受け部９５Ａに衝突し、そのときの水圧は、殆んど水圧受け
キャップ９４Ａの水圧受け部９５Ａの環状リブ９５Ａ１内で受ける。このため、この水圧
によってコイルバネ６５Ａを圧縮しつつおしり洗浄ノズル６１を進出させ、パッキン６１
Ｐが停止部６３Ａに当接して、その進出が停止し、この位置で先端のノズル口６１Ａから
噴出する洗浄水としての温水によって、おしり（肛門）が洗浄される。また、温水導入部
６３Ｂへ流入した温水は、図８に矢印ＹＡで示すように、一旦水圧受け部９５Ａに衝突し
た後、水圧受け部９５Ａの周囲から洗浄水流入間隔９８Ａを経て、一対の支持脚９６Ａ間
を通り、分流壁９７Ａの両側面へ衝突し、先端のノズル口６１Ａへ向けて流れる。このた
め、後方から流入する洗浄水の水圧が、先端のノズル口６１Ａへ直接掛からないようにな
り、おしり洗浄ノズル６１が進出中に、先端のノズル口６１Ａから洗浄水が出ないように
なる。また、後方から流入する洗浄水は、洗浄水入り口に直接流入するのではなく、一旦
水圧受け部に衝突するため、おしり洗浄ノズルの進出が、従来のものよりも速やかに行わ
れるようになる。上記のように、環状リブ９５Ａ１によって、水圧受け部９５Ａでの水圧
を受ける作用が効果的となる。
【００４８】
そして、洗浄停止スイッチ４４が押されてＯＮすることにより、制御部３２が動作し、
スイッチング素子３８、４０が動作して、洗浄モータ６７の作動にて切り替え弁６６を待
機位置へ戻すと共に、電磁弁１１を閉じる。電磁弁１１が閉じることにより、上水の水圧
が温水タンク１３内に掛からなくなり、ノズル口６１Ａからの温水の噴出が停止すると共
に、コイルバネ６５Ａによっておしり洗浄ノズル６１がおしり洗浄ノズル用ノズルケース
６３内に退避した状態（図７に示す位置）に復帰する。
【００４９】
また、上記において、おしり（肛門）洗浄開始スイッチ４５ではなく、ビデ洗浄開始ス
イッチ４６が押されている場合は、洗浄モータ６７の作動にて切り替え弁６６がシールパ
ッキン８３Ａ、８３Ｂと当接部材８５Ａ、８５Ｂに当接した状態で回動し、切り替え弁６
６の弁通路６６Ａがビデ洗浄水通路７２と連通した状態で洗浄モータ６７が停止する。こ
れによって、上水の水圧によって弁室６９へ供給された温水は、弁通路６６Ａとビデ洗浄
水通路７２を通り、その出口部７２Ａから可撓性パイプ７５Ｂを通って温水導入部６４Ｂ
へ流入する。温水導入部６４Ｂへ流入した温水の水圧は、コイルバネ６５Ｂによって退避
位置にあるビデ洗浄ノズル６２の水受け部６２Ｂに作用する。
【００５０】
水受け部６２Ｂは上記構成であるため、温水導入部６４Ｂへ流入した温水は、殆んど水
圧受けキャップ９４Ｂの水圧受け部９５Ｂに衝突し、そのときの水圧は、殆んど水圧受け
キャップ９４Ｂの水圧受け部９５Ｂの環状リブ９５Ｂ１内で受ける。このため、この水圧
によってコイルバネ６５Ｂを圧縮しつつビデ洗浄ノズル６２を進出させ、パッキン６２Ｐ
が停止部６４Ａに当接して、その進出が停止し（図７に示す位置）、この位置で先端のノ
ズル口６２Ａから噴出する洗浄水としての温水によって、ビデが洗浄される。また、温水
導入部６４Ｂへ流入した温水は、図９に矢印ＹＢで示すように、一旦水圧受け部９５Ｂに
衝突した後、水圧受け部９５Ｂの周囲から洗浄水流入間隔９８Ｂを経て、一対の支持脚９
６Ｂ間を通り、分流壁９７Ｂの両側面へ衝突し、先端のノズル口６２Ａへ向けて流れる。
このため、後方から流入する洗浄水の水圧が、先端のノズル口６２Ａへ直接掛からないよ
うになり、ビデ洗浄ノズル６２が進出中に、先端のノズル口６２Ａから洗浄水が出ないよ
うになる。また、後方から流入する洗浄水は、洗浄水入り口に直接流入するのではなく、
一旦水圧受け部に衝突するため、ビデ洗浄ノズルの進出が、従来のものよりも速やかに行
われるようになる。上記のように、環状リブ９５Ｂ１によって、水圧受け部９５Ｂでの水
圧を受ける作用が効果的となる。
【００５１】
そして、洗浄停止スイッチ４４が押されてＯＮすることにより、制御部３２が動作し、
スイッチング素子３８、４０が動作して、洗浄モータ６７の作動にて切り替え弁６６を待
機位置へ戻すと共に、電磁弁１１を閉じる。電磁弁１１が閉じることにより、上水の水圧
が温水タンク１３内に掛からなくなり、ノズル口６２Ａからの温水の噴出が停止すると共
に、コイルバネ６５Ｂによってビデ洗浄ノズル６２がビデ洗浄ノズル用ノズルケース６４
内に退避した状態（上記おしり洗浄ノズル６１の退避した状態と同様の状態）に復帰する
。
【００５２】
上記のように、おしり洗浄ノズル６１とビデ洗浄ノズル６２は、それぞれ進出・退避動
作を行なうように別個のノズルケース６３、６４内に収容されて上下配置され、温水タン
ク１３に掛かる水道水圧によって進出動作し、それぞれ先端部のノズル口６１Ａ、６２Ａ
から温水を噴出する構成であるため、肛門やビデ等の被洗浄局部に対して、真下または真
下後方部からの温水噴出が得られるようになり、従来のように左右配置での温水飛散問題
や、おしり洗浄時におしりを洗浄した温水が、ビデ洗浄ノズル６２の先端のノズル口６２
Ａに掛かる問題も解決され、ビデ洗浄ノズルを衛生的に保てる好ましい噴出形態が達成で
きる。
【００５３】
また、おしり洗浄ノズル６１とビデ洗浄ノズル６２は、モータで進出・退避動作を行な
うのではなく水圧で進出・退避動作を行なう構成であるため、両ノズルの動作とそれを達
成する構造を共通にできるようになり、構造的・動作的に簡単なものとなる。
【００５４】
更に、本発明では、切り替え弁６６を収容した弁室６９の温水導入口６９Ｂに、温水タ
ンク１３内に立設した温水導出パイプ１５の下端の温水出口が連通するように、洗浄水切
り替えユニットＳＵが温水タンクの下面に取り付けられた構成であるため、温水タンク１
３内の温水は、温水導出パイプ１５から弁室６９へ直接流入する構成となり、温水タンク
１３内の温水を洗浄水切り替えユニットＳＵに導くパイプが不要となり、温水タンク１３
に洗浄水切り替えユニットＳＵを取り付け、一体化した構成が達成できる。
【産業上の利用可能性】
【００５５】
本発明に係る温水洗浄式便座装置の上記実施例は、温水タンク内に供給される水道水圧
によって、おしり洗浄ノズルまたはビデ洗浄ノズルから前記温水タンク内の温水を噴出す
る温水洗浄式便座装置であるが、温水タンクの替わりに水道水が通過する加熱器を設け、
この加熱器を通過する間に温水となるものでもよい。このため、上記実施例に示した構成
に限定されず、種々の形態のものに適用できるものであり、本発明の技術範囲において種
々の形態を包含するものである。
【符号の説明】
【００５６】
１・・・・・温水洗浄式便座装置
２・・・・・洋式便器
３・・・・・本体ケース
４・・・・・便座
５・・・・・便蓋
６・・・・・給水管
７・・・・・配管ホース
８・・・・・分岐水栓
９・・・・・上水道管
１０・・・・操作部
１１・・・・電磁弁
１２・・・・減圧弁
１３・・・・温水タンク
１４・・・・給水配管
１５・・・・温水導出パイプ
１６・・・・脱臭機構
１７・・・・基板
１８・・・・操作基板
１９・・・・電動機
２０・・・・電動機
２１・・・・スイッチング素子
２２・・・・スイッチング素子
２３・・・・電動機１９のＯＮ・ＯＦＦスイッチ
３０・・・・制御回路
３１・・・・商用電源
３２・・・・制御部
３３・・・・着座スイッチ
３５・・・・便座用温度センサ
３６・・・・スイッチング素子
３７・・・・スイッチング素子
３８・・・・スイッチング素子
３９・・・・スイッチング素子
４０・・・・スイッチング素子
４１・・・・便座ヒータ
４２・・・・温水ヒータ
４３・・・・電動機２０のＯＮ・ＯＦＦスイッチ
４４・・・・洗浄停止スイッチ
４５・・・・おしり（肛門）洗浄開始スイッチ
４６・・・・ビデ洗浄開始スイッチ
４７Ｐ、４７Ｑ・・・・洗浄水の水勢増減スイッチ
４８・・・・温水温度調節スイッチ
４９・・・・便座温度調節スイッチ
５０・・・・温度検知部
５１・・・・フロートスイッチ
５２・・・・負圧弁
５３・・・・明るさ検知センサ
５４・・・・温水検知センサ
５５・・・・温水温度検知用サーミスタ
６０・・・・温水洗浄ユニット
６１・・・・おしり（肛門）洗浄ノズル
６１Ａ・・・おしり（肛門）洗浄ノズルのノズル口
６１Ｂ・・・おしり（肛門）洗浄ノズルの水受け部
６１Ｐ・・・パッキン
６２・・・・ビデ洗浄ノズル
６２Ａ・・・ビデ洗浄ノズルのノズル口
６２Ｂ・・・ビデ洗浄ノズルの水受け部
６２Ｐ・・・パッキン
６３・・・・おしり（肛門）洗浄ノズル用ケース
６３Ａ・・・停止部
６３Ｂ・・・温水導入部
６４・・・・ビデ洗浄ノズル用ケース
６４Ａ・・・停止部
６４Ｂ・・・温水導入部
６５Ａ・・・コイルバネ
６５Ｂ・・・コイルバネ
６６・・・・切り替え弁
６７・・・・電動機
６８・・・・電動機６７の駆動軸
６９・・・・弁室
６９Ｂ・・・温水導入口
７０・・・・弁室部材
７１・・・・おしり洗浄水通路
７１Ａ・・・おしり洗浄水通路の出口部
７２・・・・ビデ洗浄水通路
７２Ａ・・・ビデ洗浄水通路の出口部
７３・・・・切り替え通路部材
７４・・・・ネジ
７５Ａ・・・可撓性パイプ
７５Ｂ・・・可撓性パイプ
７７・・・・支持軸
７８・・・・支持軸
７９・・・・コイルバネ
８２・・・・シールパッキン
８３Ａ・・・シールパッキン
８３Ｂ・・・シールパッキン
８５Ａ・・・当接部材
８５Ｂ・・・当接部材
８７・・・・取り付け部材
９２・・・・おしり洗浄ノズルへの洗浄水入り口
９３・・・・ビデ洗浄ノズルへの洗浄水入り口
９４Ａ、９４Ｂ・・・・水圧受けキャップ
９５Ａ、９５Ｂ・・・・水圧受け部
９６Ａ、９６Ｂ・・・・一対の支持脚
９７Ａ、９７Ｂ・・・・分流壁
９８Ａ、９８Ｂ・・・・洗浄水流入間隔
９９Ａ、９９Ｂ・・・・突起
ＮＣ・・・・ノズルケース体
ＮＵ・・・・ノズルユニット
ＳＵ・・・・洗浄水切り替えユニット
【図１】
2010196389.tif 000003
【図２】
2010196389.tif 000004
【図３】
2010196389.tif 000005
【図４】
2010196389.tif 000006
【図５】
2010196389.tif 000007
【図６】
2010196389.tif 000008
【図７】
2010196389.tif 000009
【図８】
2010196389.tif 000010
【図９】
2010196389.tif 000011
【図１０】
2010196389.tif 000012
【図１１】
2010196389.tif 000013
【図１２】
2010196389.tif 000014